(57)【特許請求の範囲】
【請求項１】
マクロダイバーシティを使用する少なくとも２つの無線基地局（ＮＢａ；ＮＢｂ）から、少なくとも２つのダイバーシティリンク（ａ；ｂ）を介して、中央局（ＲＮＣ）へデータブロック（ＴＢ１、ＴＢ２、．．．、ＴＢｎ）を伝送する方法（１００）であって、データブロック（ＴＢ１、ＴＢ２、．．．、ＴＢｎ）を、基地局（ＮＢａ；ＮＢｂ）から中央局（ＲＮＣ）へ、データフレーム（Ｆ；Ｆ’）内のチェックフィールド（ＣＩＤ１、ＣＩＤ２、．．．、ＣＩＤｎ）とともに伝送し、データブロックの各々（ＴＢ１）に、チェックフィールドの１つ（ＣＤＩ１）が割り当てられ、チェックフィールドを、ダイバーシティリンク（ａ；ｂ）ごとに中央局（ＲＮＣ）で解析することにより、正しく受信したデータブロックを識別し、中央局（ＲＮＣ）で、ダイバーシティリンクの１つ（ａ）を介して受信された誤ったデータブロック（ＴＢ１）を、ダイバーシティリンクの他の１つ（ｂ）を介して受信された正しいデータブロック（ＴＢ１’）と置き換えることを含んでおり、
各データフレーム（Ｆ）において、データブロック（ＴＢ１、ＴＢ２、．．．、ＴＢｎ）が、直接並んで配置され（ステップ１１１）、各データブロック（ＴＢ１）は、８で割り切れるビット数を含んでおり、さらに、各データフレーム（Ｆ）は、チェックフィールド（ＣＩＤ１、ＣＩＤ２、．．．、ＣＩＤｎ）が挿入されるチェックブロック（ＣＢ）を含んでいることを特徴とする、中央局へデータブロックを伝送する方法（１００）。
【請求項２】
チェックフィールド（ＣＩＤ１、ＣＩＤ２、．．．、ＣＩＤｎ）の各々が、少なくとも１ビットを含んでおり、チェックフィールド（ＣＩＤ１、ＣＩＤ２、．．．、ＣＩＤｎ）のすべてのビットが、チェックブロック（ＣＢ）にともに書き込まれ、必要な場合には、チェックブロック（ＣＢ）は、パディングビット（ＰＡＤ）で埋められ（ステップ１１２）、その結果、チェックブロック（ＣＢ）も、８で割り切れるビット数を含んでいることを特徴とする請求項１に記載の方法（１００）。
【請求項３】
データフレーム（Ｆ）ごとに、チェックワード（ＣＷａ；ＣＷｂ）が、チェックフィールドのビットから形成され（ステップ１２３）、ダイバーシティリンクの１つ（ａ）に対して、チェックワード（ＣＷａ）が、第１参照ワード（Ｍ１）と比較されることで（ステップ１２４）、前記ダイバーシティリンク（ａ）を介して受信された少なくとも１つの誤ったデータブロック（ＴＢ１）を検出し、次いでダイバーシティリンクの他の１つ（ｂ）に対して、対応するチェックワード（ＣＷｂ）が第２参照ワード（Ｍ２）と比較され、対応するデータブロック（ＴＢ１’）が、前記他のダイバーシティリンク（ｂ）を介して正しく受信されたかどうかを判定することを特徴とする請求項２に記載の方法（１００）。
【請求項４】
第１の結果（Ｒ１）が、チェックワード（ＣＷａ）および第１参照ワード（Ｍ１）の論理積演算を行うことで得られ（ステップ１２４）、第１の中間値（ＰＲ１）が、前記第１の結果（Ｒ１）および否定された第１参照ワードの論理和演算を行うすることで得られ、第２参照ワード（Ｍ２）が、前記第１の中間値を否定することで得られる（ステップ１２６）ことを特徴とする請求項３に記載の方法（１００）。
【請求項５】
少なくとも１つの誤ったデータブロックが、対応する正しいデータブロックと置き換えることができない場合、方法が、事前に指定可能な時間が満了した後に終了することを特徴とする請求項１に記載の方法。
【請求項６】
データブロック（ＴＢ１、ＴＢ２、．．．、ＴＢｎ）を、少なくとも第２の無線基地局（ＮＢｂ）とマクロダイバーシティ状態にある、第１の無線基地局（ＮＢａ）から、ダイバーシティリンク（ａ）を介して、中央局（ＲＮＣ）へ伝送するためのデータフレーム（Ｆ）であって、データブロックの各々（ＴＢ１）に、チェックフィールド（ＣＩＤ１）が割り当てられ、中央局（ＲＮＣ）は、チェックフィールドを解析して、正しく受信されたデータブロック（ＴＢ２、．．．、ＴＢｎ）を識別し、誤ったデータブロック（ＴＢ１）を検出し、前記誤ったデータブロック（ＴＢ１）を、ダイバーシティリンクの他の１つ（ｂ）を介して受信された正しいデータブロック（ＴＢ１’）と置き換えることができ、
データフレーム（Ｆ）において、データブロック（ＴＢ１、ＴＢ２、．．．、ＴＢｎ）が、直接並んで配置され、各データブロック（ＴＢ１）は、８で割り切れるビット数を含んでおり、さらにデータフレーム（Ｆ）は、チェックフィールド（ＣＩＤ１、ＣＩＤ２、．．．、ＣＩＤｎ）が挿入されるチェックブロック（ＣＢ）を含んでいることを特徴とする、中央局へ伝送するためのデータフレーム（Ｆ）。
【請求項７】
中央局（ＲＮＣ）、およびマクロダイバーシティを使用する少なくとも２つの基地局（ＮＢａ；ＮＢｂ）を備える移動無線システムであって、データブロック（ＴＢ１、ＴＢ２、．．．、ＴＢｎ）を、データフレーム（Ｆ；Ｆ’）内のチェックフィールド（ＣＩＤ１、ＣＩＤ２、．．．、ＣＩＤｎ）とともに、少なくとも２つのダイバーシティリンク（ａ；ｂ）を介して中央局（ＲＮＣ）へ伝送し、データブロックの各々（ＴＢ１）にチェックフィールドの１つ（ＣＤＩ１）が割り当てられ、中央局（ＲＮＣ）は、受信機を備え、該受信機は、データブロック（ＴＢ１、ＴＢ２、．．．、ＴＢｎ）をチェックフィールド（ＣＩＤ１、ＣＩＤ２、．．．、ＣＩＤｎ）とともに受信し、チェックフィールドを、ダイバーシティリンク（ａ；ｂ）ごとに解析することにより、正しく受信されたデータブロックを識別するダイバーシティ受信セクション（ＤＨＯ）を備え、ダイバーシティリンクの１つ（ａ）を介して受信された誤ったデータブロック（ＴＢ１）を、ダイバーシティリンクの他の１つ（ｂ）を介して受信された正しいデータブロック（ＴＢ１’）と置き換え、
基地局の各々（ＮＢａ）が、送信機を備え、該送信機は、データブロック（ＴＢ１、ＴＢ２、．．．、ＴＢｎ）を、各データフレーム（Ｆ）において、直接並べて配置し、各データブロック（ＴＢ１）は、８で割り切れるビット数を含み、各データフレーム（Ｆ）は、チェックブロック（ＣＢ）を含み、該チェックブロック（ＣＢ）に送信機がチェックフィールド（ＣＩＤ１、ＣＩＤ２、．．．、ＣＩＤｎ）を挿入していることを特徴とする、中央局およびマクロダイバーシティを使用する少なくとも２つの基地局を備える移動無線システム。
【請求項８】
少なくとも２つのダイバーシティリンク（ａ；ｂ）によって、少なくとも２つの無線基地局（ＮＢａ；ＮＢｂ）と接続される中央局（ＲＮＣ）であって、前記少なくとも２つの無線基地局は、マクロダイバーシティを使用し、前記中央局（ＲＮＣ）は、無線基地局（ＮＢａ；ＮＢｂ）から中央局（ＲＮＣ）へ伝送される、データブロック（ＴＢ１、ＴＢ２、．．．、ＴＢｎ）をデータフレーム（Ｆ；Ｆ’）内のチェックフィールド（ＣＩＤ１、ＣＩＤ２、．．．、ＣＩＤｎ）とともに受信する受信機を備え、データブロックの各々（ＴＢ１）にチェックフィールドの１つ（ＣＤＩ１）が割り当てられ、前記受信機は、チェックフィールドを、ダイバーシティリンク（ａ；ｂ）ごとに解析することにより、正しく受信したデータブロックを識別するダイバーシティ受信セクション（ＤＨＯ）を備え、ダイバーシティリンクの１つ（ａ）を介して受信された誤ったデータブロック（ＴＢ１）を、ダイバーシティリンクの他の１つ（ｂ）を介して受信された正しいデータブロック（ＴＢ１’）と置き換え、
各データフレーム（Ｆ）において、データブロック（ＴＢ１、ＴＢ２、．．．、ＴＢｎ）が、直接並んで配置され、各データブロック（ＴＢ１）は、８で割り切れるビット数を含んでおり、チェックフィールド（ＣＩＤ１、ＣＩＤ２、．．．、ＣＩＤｎ）は、チェックブロック（ＣＢ）に挿入され、ダイバーシティ受信セクション（ＤＨＯ）が、チェックブロック（ＣＢ）を解析するための解析ユニット、および解析ユニットにより制御され、引き続き正しく受信されたデータブロック（ＴＢ１、ＴＢ２’、．．．、ＴＢｎ）を格納するためのデータメモリを備えることを特徴とする、少なくとも２つのダイバーシティリンクによって、少なくとも２つの無線基地局と接続される中央局（ＲＮＣ）。
【請求項９】
少なくとももう１つの無線基地局（ＮＢｂ）とともに、マクロダイバーシティ状態にある無線基地局（ＮＢａ）であって、無線基地局は、データブロック（ＴＢ１、ＴＢ２、．．．、ＴＢｎ）を、データフレーム（Ｆ；Ｆ’）内のチェックフィールド（ＣＩＤ１、ＣＩＤ２、．．．、ＣＩＤｎ）とともに中央局（ＲＮＣ）へ伝送し、前記無線基地局（ＮＢａ）は、送信機を備え、該送信機は、チェックフィールドの１つ（ＣＤＩ１）を各々のデータブロック（ＤＢ１）に割り当て、中央局（ＲＮＣ）が、チェックフィールドをダイバーシティリンク（ａ；ｂ）ごとに解析でき、正しく受信されたデータブロックを識別し、ダイバーシティリンクの１つ（ａ）を介して受信された誤ったデータブロック（ＴＢ１）を、ダイバーシティリンクの他の１つ（ｂ）を介して受信された正しいデータブロック（ＴＢ１’）と置き換え、
無線基地局（ＮＢａ）の送信機が、データブロック（ＴＢ１、ＴＢ２、．．．、ＴＢｎ）を、各データフレーム（Ｆ）において、直接並べて配置し、各データブロック（ＴＢ１）は、８で割り切れるビット数を含み、さらに前記送信機は、チェックフィールド（ＣＩＤ１、ＣＩＤ２、．．．、ＣＩＤｎ）をチェックブロック（ＣＢ）に挿入することを特徴とする、少なくとももう１つの無線基地局とともにマクロダイバーシティ状態にある無線基地局（ＮＢａ）。
【請求項１０】
無線基地局（ＮＢａ）が、ユーザデータを移動局（ＵＥ）から受信し、前記ユーザデータを誤りについてチェックするための受信機、およびユーザデータをデータブロック（ＴＢ１、ＴＢ２、．．．、ＴＢｎ）に書き込むために、受信機および送信機と接続されたコンピュータ制御ユニットを備え、コンピュータ制御ユニットは、誤ったユーザデータが、対応するチェックフィールド（ＣＩＤ１）のエントリによって書き込まれているデータブロック（ＴＢ１）に、印を付けることを特徴とする請求項９に記載の無線基地局（ＮＢａ）。
【発明の詳細な説明】
【０００１】
本発明は、請求項１のプリアンブルに記載の、マクロダイバーシティを使用する少なくとも２つの無線基地局から、少なくとも２つのダイバーシティリンクを介して中央局へデータブロックを伝送する方法に関する。
【０００２】
さらに、本発明は、それぞれの独立請求項のプリアンブルに記載の、本方法を実行するためのデータフレーム、移動無線システム、中央局、および基地局に関する。
【０００３】
無線信号を、移動局から並行する異なる無線パスを介し受信し、無線信号に含まれるユーザデータを中央局に中継する基地局を有する、移動無線システムがある。中央局の受信機では、無線パスの１つを介して受信された誤ったユーザデータを、他の無線パスを介して正しく受信されたユーザデータと置き換えることができる。言い換えれば、ユーザデータは、並行する別々のダイバーシティリンクを介して伝送されるので、受信側で、できるだけ多くの正しいユーザデータを入手することができ、すなわち、可能な限り最高のダイバーシティ利得を達成することができるのである。
【０００４】
これに関連して、「ＴＳ２５．４２７、Ｖ０．２．１」という名称の文献に言及しておく必要があるが、これは、将来の移動無線システムＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ、ユニバーサル移動通信システム）の技術仕様書の一部であり、標準化団体３ＧＰＰ（第３世代パートナーシッププロジェクト）により、「ＵＴＲＡＮ  Ｉｕｂ／Ｉｕｒ  Ｉｎｔｅｒｆａｃｅ  Ｕｓｅｒ  Ｐｌａｎｅ  Ｐｒｏｔｏｃｏｌ  ｆｏｒ  ＤＣＨ  Ｄａｔａ  Ｓｔｒｅａｍｓ」という題で、ホームページ「ｈｔｔｐ：／／ｗｗｗ．３ｇｐｐ．ｏｒｇ」で、１９９９年６月に公開されている。その文献の７章には、データブロック、すなわちいわゆるトランスポートブロックを伝送する方法について述べられており、そのトランスポートブロックは、ユーザデータを含んでおり、基地局いわゆるノードＢから、中央局いわゆる無線ネットワークコントローラＲＮＣに伝送される。図１および表１に関連して７章に述べられているように、データブロックは、データフレームに挿入され、各データブロックの前には、関連付けられたチェックフィールド、いわゆるチェックサムインジケータがある。チェックフィールドの内容は、その後のデータブロックが正しいかまたはそうでないかを表示している。基地局は、データブロックを並行する異なるダイバーシティリンクを介して中央局に伝送し、次いで、各ダイバーシティリンクごとにチェックフィールドを解析し、１つのダイバーシティリンクを介して受信した誤ったデータブロックを、他のダイバーシティリンクを介して受信した対応する正しいデータブロックに置き換える。したがって、その３ＧＰＰの文献は、マクロダイバーシティを使用する少なくとも２つの基地局から、少なくとも２つのダイバーシティリンクを介して、中央局にデータブロックを伝送する方法を述べている。基地局の各々は、データフレームの中のデータブロックとチェックフィールドをともに中央局に伝送し、データブロックの各々にチェックフィールドの１つが割り当てられている。中央局は、ダイバーシティリンクごとにチェックフィールドを解析することで、正しく受信されたデータブロックを識別することができる。さらに中央局は、ダイバーシティリンクの１つを介して受信した誤ったデータブロックを、ダイバーシティリンクの他の１つを介して受信した正しいデータブロックと置き換える。データフレームの方式および構成に加えて、３ＧＰＰの文献は、その方法を実行するための、移動無線システム、中央局、および基地局について述べている。
【０００５】
本発明が前提としている認識は、従来技術の方法が、従来のデータフレームの構成を使用して実行される場合、各データフレームは、その長さ全体を、すなわち最初から最後のビットに至るまでを読み取られ、個々のチェックフィールドを見つけなければならないというものである。特定の問題が、読取り動作の際に、チェックフィールドの構成により発生し、各データブロックの始まりが１ビット分だけ、すなわち先行するチェックフィールドの長さ分だけ、後方にシフトするという結果になる。したがって、バイト指向アドレス指定を使用するデータブロックの読取りが不可能で、データ処理速度は低下する。
【０００６】
この認識から始まり、本発明は、その目的として、最初に言及した方法を改善し、新しく構成したデータフレームを提案することで、チェックフィールドの解析およびデータブロックへのアクセスを促進することを有する。さらに、改善された方法を実行するための移動無線システム、中央局、および基地局が提供される。
【０００７】
本目的は、請求項１の特徴を有する方法、ならびに、それぞれの独立請求項の特徴を有するデータフレーム、移動無線システム、中央局、および基地局によって達成される。
【０００８】
したがって、各データフレームのデータブロックを直接並べて配置して、各データブロックは８で割り切れるビット数を含み、チェックフィールドのビットを、ともに提供されているチェックブロックに書き込むことが提案されている。したがって、それぞれが１バイトまたはバイトの倍数を含んでいるデータブロックが直接に連続することを特徴とする、新しい構成のデータフレームを使用する。これによって、バイト指向構成となり、個々のデータブロックに対して高速にアクセスすることが可能になる。本発明および本発明に適合された新規な方法によるデータフレーム構成を使用することで、中央局の受信機において、ディジタル信号処理の速度の大幅な高速化が実現される。
【０００９】
本発明の他の利点となる特徴は、従属請求項から明らかである。
【００１０】
特に利点となることは、チェックフィールドの各々が、少なくとも１ビットを含んでおり、チェックフィールドのすべてのビットは、チェックブロックにともに書き込まれることである。チェックブロックは、必要な場合には、パディングビットで埋められ、その結果、チェックブロックも、８で割り切れるビット数を含んでいる。このことにより、チェックブロックが、全体としてアドレス指定され、高速に読み出されることを可能にする。
【００１１】
さらに特に利点となるのは、データフレームごとに、チェックワードをチェックフィールドのビットから形成し、ダイバーシティリンクの１つに対して、チェックワードを第１参照ワードと比較して、このダイバーシティリンクを介して受信された誤ったデータブロックを検出し、ダイバーシティリンクの他の１つに対して、引き続き対応するチェックワードを第２参照ワードと比較して、対応するデータブロックが、このダイバーシティリンクを介して正しく受信されたかどうかを判定することである。これらの方法によって、必要とされるだけの数のチェックワードだけが解析され、正しいデータブロックが、非常に短時間で、選択的なアクセスによって収集されるのである。
【００１２】
これに関連して、特に利点となるのは、第１の結果を、第１参照ワードを使用しチェックワードを倫理積演算によって生成して、第１の中間値を、否定された第１参照ワードとこの第１の結果とを論理和演算することによって得て、第２参照ワードを、この第１の中間値を否定することで得ることである。
【００１３】
少なくとも１つの誤ったデータブロックを、対応する正しいデータブロックと置き換えることができない場合、特に利点があるのは、そのプロセスが、事前に指定可能な時間が満了した後に終了する場合である。
【００１４】
本発明は、添付図面に関連して行う、一実施形態の以下の説明からより明らかになろう。
【００１５】
図１ａを参照すると、従来技術で知られているデータフレームの構成が示されている。データフレームは、ヘッダＨから始まり、そのヘッダには、例えば４バイトの長さがあり、データフレームの構成についての情報が含まれている。この情報は、とりわけ、データフレームに含まれているデータブロックＴＢ１からＴＢｎまでの数、およびこれらのデータブロックの長さを指定するものである。データフレームは、チェックサムフィールドＣＳで終了し、そのチェックサムフィールドも４バイトの長さがある。従来、データブロックＴＢ１からＴＢｎまでの各々の前に、チェックフィールド（「チェックサムインジケータ」）ＣＩＤ１からＣＩＤｎまでがあり、その中に、１ビットが入っている。チェックフィールド（例えば、ＣＩＤ１）のビットは、続くデータブロック（ＴＢ１）が、正しく受信されたユーザデータを含んでいるかどうかを表示している。したがって、チェックフィールドＣＩＤ１からＣＩＤｎには、フラグ機能があり、論理値０または論理値１に設定されている。
【００１６】
データフレームが、中央局によって受信されると、そこで解析され、正しいデータブロックがデータフレームから読み出される。しかし、図１ａで示している従来のデータフレーム構成では、データフレームは、その長さ全体を、すなわち最初のビットから最後に至るまでを読み取られ、個々のチェックフィールドＣＩＤ１からＣＩＤｎを見つけることが必要とされるのである。読取りの際に、特定の問題が、チェックフィールドの構成により発生し、各データブロックの始まりが１ビット分だけ、すなわち先行するチェックフィールドの長さ分だけ後方にシフトするという結果になる。このことは、例えば第１データブロックＴＢ１が、ヘッダＨの終わりに直接続くのではなく、１ビット後ろになることを意味している。それに続く、データブロックＴＢ２は、その前のチェックフィールドＣＩＤ２のために、もう１ビット後方にシフトする。したがって、第１データブロックＴＢ１には、例えば１０バイトの長さがある場合、第２データブロックＴＢ２の始まりは、ヘッダＨの終わりから１０バイトに２ビットを加えただけ後方のところとなる。したがって、バイト指向アドレス指定によってデータブロックを読み取ることは不可能で、データ処理速度は低下する。この認識から始まって、新規なデータフレームが提案される。
【００１７】
図１ｂには、本発明に従って構成されたデータフレームを示している。このデータフレームには、チェックブロックＣＢが追加して含まれており、このチェックブロックＣＢは、ヘッダＨの直後にきており、直接連続しているデータブロックＴＢ１からＴＢｎに隣接している。追加されたチェックブロックＣＢには、すべてのチェックフィールドＣＩＤ１からＣＩＤｎが、切れ目のない順番で書き込まれている。さらに、チェックブロックＣＢには、いくつかのパディングビットＰＡＤが含まれているので、８で割り切れるビット数に対応する、チェックブロックの長さになることが保証されている。したがって、チェックブロックＣＢには、バイト指向の長さがあり、この例では２バイトである。したがって、このチェックブロックを全体として、非常に簡単なやり方で、アドレス指定し、読み出すことができる。データブロックＴＢ１からＴＢｎは、直接並べて配置しているので、バイト指向構成となり、非常に速く、選択的なアクセスを、個々のデータブロックに行うことが可能である。図１ｂで示している構成により、中央局の受信機において、ディジタル信号処理の速度が大幅に高速化する。
【００１８】
図２は、図１ｂで示しているものなどのデータフレームが伝送される、移動無線システムの構成を概略的に示している。移動無線システムは、本発明による以下に述べる方法を実行するために構成され、中央局ＲＮＣを備え、その中央局にはいくつかの基地局が接続しているが、その中の２つの基地局ＮＢａおよびＮＢｂを、例として図２に示している。これら２つの基地局は、マクロダイバーシティ状態にあり、すなわち同時に無線信号を移動局ＵＥから受信し、無線信号に含まれているユーザデータを図１ｂに示しているデータフレーム構成の形式で、中央局ＲＮＣに中継する。中央局ＲＮＣは、次に、１つの基地局から受信した誤ったデータブロックを、他の基地局から受信した対応する正しいデータブロックと置き換えることを試みる。したがって、同じユーザデータが、並列して伝送される２つのマクロダイバーシティリンクａおよびｂがあり、そこでは、あらゆる誤りが相互に補正される。本明細書で使用される「並列伝送」とは、異なる伝送リンクを介する同じユーザデータのパケット伝送を意味している。パケット伝送のために、リンクは同期を必要としない。
【００１９】
図２は、第１局ＮＢａから中央局ＲＮＣへの本発明に従って構成されたデータフレームＦの伝送、および第２基地局ＮＢｂから中央局ＲＮＣへの対応するデータフレームＦ’の並列伝送を例示している。第１基地局ＮＢａによって伝送されるデータフレームＦには、誤ったデータブロックＴＢ１が含まれており、誤ったデータブロックＴＢ１は中央局ＲＮＣで、本発明による以下に述べている方法で検出され、第２基地局ＮＢｂによって伝送されるデータフレームＦ’に含まれる、対応する正しいデータブロックＴＢ１’に置き換えられる。中央局ＲＮＣは、誤ったデータブロックＴＢ１を、正しいデータブロックＴＢ１’に置き換えるが、そのデータブロックＴＢ１’には、データブロックＴＢ１と同じユーザデータが含まれている。同じように、第２基地局ＮＢｂによって伝送される誤ったデータブロック（例えば、第３データブロック）は、第１基地局によって伝送される対応するデータブロックで置き換えられる。したがって、同じユーザデータが、データフレームＦおよびＦ’内で並行し、２つのマクロダイバーシティリンクａおよびｂを介して伝送され、そこで、あらゆる誤りが相互に補正されるのである。以下に述べる本発明による方法を使用することで、この補正を非常に迅速に行うことができる。
【００２０】
図３は、マクロダイバーシティを使用する少なくとも２つの基地局から、中央局へデータブロックを伝送する方法１００のための流れ図を示している。この方法には、ステップ１１０から１３０が含まれている。ステップ１１０は、２つの部分ステップ１１１および１１２に分割され、ステップ１２０も部分ステップ１２１から１２７に分割される。第１基地局から中央局へのデータブロックの伝送を、次に詳細に例として述べるが、図１ｂおよび図２も参照することになる。方法１００を開始した後、伝送されるデータフレームは、その中でコンパイルされ、基地局ＮＢａによって伝送される（ステップ１１０）。第１部分ステップ１１１で、伝送されるデータブロックＴＢ１からＴＢｎは、直接並んで配置され、データフレームＦに挿入される。伝送されるデータブロックの前に、チェックブロックＣＢが、データフレームＦに挿入される。チェックブロックＣＢには、データブロックに関連付けられたチェックフィールドＣＩＤ１からＣＩＤｎと、いくつかのパディングビットＰＡＤとが含まれている。したがって、データフレームＦは、図１ｂで示している構成を備える。部分ステップ１１２では、データフレームＦが、基地局ＮＢａから中央局ＲＮＣへ伝送される。
【００２１】
次のステップ１２０では、データフレームＦが受信され、部分ステップ１２１から１２７で、中央局によって処理される。このデータ処理は、以下の部分で図４にも関連して述べる。簡単にするために、伝送されるデータフレームＦには、４つのみのデータブロック（ｎ＝４）、および対応する数のチェックフィールドＣＩＤ１からＣＩＤ４が含まれるものとする。チェックフィールドは、それぞれが１ビットを含んでおり、チェックブロックＣＢに１２個のパディングビットとともに書き込まれ、その結果、チェックブロックには、２バイトが含まれている。
【００２２】
図４で示しているように、４つのチェックフィールドＣＩＤ１からＣＩＤ４は、組み合わされて１つのチェックワードＣＷａ＝「０１１１」になっている。インデックスａは、これらのチェックフィールドおよびそれに関連付けられたデータブロックが、第１基地局ＮＢａから中央局へ伝送されることを意味している。図３で示している本発明の方法によると、第１部分ステップ１２１では、０に設定されたカウンタのカウントが、１だけ増加し、それは、第１ダイバーシティリンクａを介して受信したデータが、最初に評価されることを示している。次の部分ステップ１２２では、４つのチェックフィールドＣＩＤ１からＣＩＤ４が読み取られ、一時的にチェックワードＣＷａとして格納される。次のステップ１２３では、このチェックワードＣＷａ＝「０１１１」が、第１参照ワードＭ１＝「１１１１」との論理積をとられる。第１参照ワードＭ１は、チェックワードＣＷａ内のどのビットが、論理値０または論理値１に設定されているかを判定するために使用されるマスクに対応する。論理積演算の結果、つまり第１の結果Ｒ１は、一時的に部分ステップ１２４で格納される。この例では、第１の結果Ｒ１＝「０１１１」は、第１チェックフィールドＣＩＤ１＝「０」を除いて、すべてのチェックフィールド、すなわちＣＩＤ２からＣＩＤ４が、論理値１に設定されていることを示している。このことは、第１データブロックＴＢ１のみが誤っていることを意味している。他のすべてのデータブロックＴＢ２からＴＢ４は、正しく受信されており、ユーザデータメモリに入力される（部分ステップ１２５）。
【００２３】
第１ダイバーシティリンクａを介して受信した誤ったデータブロックＴＢ１を、他のダイバーシティリンクｂを介して受信される、対応する正しいデータブロックＴＢ１’と置き換えるために、新しい参照ワードＭ２が生成され、この新しい参照ワードを使用して、第２基地局から受信したチェックワードＣＷｂ＝「１１０１」が解析される。次の部分ステップ１２６では、結果Ｒ１＝「０１１１」が、否定された第１参照ワード「００００」と論理和演算される。このことにより、第１中間値ＰＲ１＝「０１１１」が与えられ、その中間値が否定され、ワード「１０００」になる。否定された中間値は、第２マスクＭ２＝「１０００」と見なされ、ダイバーシティリンクｂを介して受信された第２チェックワードとの論理積をとられる。このことにより、第２の結果Ｒ２が与えられ、この例では、この結果は、論理ワード「１０００」に対応しているので、したがって第２基地局ＮＢｂが正しいことを示している。この第２の結果Ｒ２も、ユーザデータメモリに入力される。
【００２４】
図で、詳細には図４で例示しているように、本発明の方法により、ダイバーシティリンクの１つを介して受信されるすべての正しいデータブロックが、収集および格納され、このダイバーシティリンクを介して受信される誤ったデータブロックは、他のダイバーシティリンクを介して受信される、対応する正しいデータブロックによって置き換えられる。本発明によるチェックフィールドＣＩＤ１からＣＩＤｎの構成、およびデータフレームにおいてデータブロックが直接連続していること（図１ｂを参照）によって、非常に速いデータブロックのアドレス指定が可能になり、したがって、個々のデータブロックへの非常に高速なアクセスが可能になる。言い換えれば、バイト指向データフレーム構成によって、個々の誤ったデータブロックの検出、および対応する正しいデータブロックへの置換えを、非常に速く行うことができるのである。
【００２５】
さらに部分ステップ１２７では、チェックが行われ、最後に使用された参照ワードは、少なくとも１つの論理値０を含んでいるかどうかが判定される。そのような場合、このことは、依然として置換えを必要とする、少なくとも１つの誤ったデータブロックがあることを意味している。その場合、部分ステップ１２１から１２６を再び実行しなければならず、カウントｎが１つ増加する。カウントｎが増加することは、次のダイバーシティリンクｂを使用して、受信したデータフレームを解析することになる。ステップ１２７で、最後に生成された参照ワード（ここでは、Ｍ３＝「００００」）が、論理値１を含んでいないと判定された場合、これは、置き換える必要のある誤ったデータブロックがもはやないことを示している。したがって、このプロセスは、ステップ１３０へ進み、そこで、すべての正しく受信され、一時的に格納されているデータブロックが組み合わされ、ユーザデータとして処理される。したがって、そのプロセスは完了する。
【００２６】
正しいデータブロックが、存在するダイバーシティリンクのいずれを介しても受信されない場合には、タイムカウンタが備えられ、事前に指定可能な時間、例えば、１０ミリ秒経過後に、そのプロセスを終了させる。タイムカウンタは、図３の部分ステップ１２１からスタートする。事前に指定可能な時間が満了するとき、図３で示しているループの実行が終了し、プロセスはステップ１３０に進む。このことによって、図３で示しているループの実行の間の不必要な待機時間を回避する。
【００２７】
個々の誤ったしかも置換え不可能なデータブロックは、中央局の受信機においての終端間誤り訂正により訂正することができる。データブロックのユーザデータが音声データの場合、そのような訂正は、普通、音声品質の気付くほどの損失無しに行うことができる。その場合、事前に指定可能なフレーム誤り率、例えば１０−３に対応する、特定の頻度の誤ったデータブロックでさえ許容することができる。同じことが、ビデオまたはファックスデータの伝送にも適用される。
【００２８】
純粋な算術データ形式の非音声データの伝送の際、再構成不可能なデータブロックを、一般に中央局は、再び基地局を介して移動局から要求しなければならない。
【００２９】
本発明は、述べている実施形態に限定されるものではなく、考えられる変形形態が含まれる。例えば、本方法は、ただ１つのポイントツーポイント接続にも適用可能である。また、各データフレームが、それぞれ一群のデータブロックに割り当てられるべき、２つまたはそれ以上のチェックブロックを含んでいることも考えることができる。この方式で、特別に長いデータフレームを形成することができる。さらに、データフレーム内のチェックブロックの位置も変更することができる。
【図面の簡単な説明】
【図１ａ】  データフレームの従来の構成を示す図である。
【図１ｂ】  本発明によるデータフレームの構成を示す図である。
【図２】  本発明による移動無線システムの構成を概略的に示す図である。
【図３】  本発明による一方法の流れ図である。
【図４】  この方法によるチェックワードの処理を概略的に例示する図である。
【図１ａ】
0004226819.tif 000002
【図１ｂ】
0004226819.tif 000003
【図２】
0004226819.tif 000004
【図３】
0004226819.tif 000005
【図４】
0004226819.tif 000006